(57)【要約】【課題】窓の前の家具等をおいても解錠操作の邪魔にならないように左右に長く延在した手掛けレバーを有する施錠装置を極めて安価に製造可能とする。【解決手段】巾木１６の略全幅に渡って延在し、かつ、巾木本体１７に設けられた水平な軸４６に、当該軸回りに回転自在に取り付けられた手掛けレバー３１を備える。枠部材２１の下枠２６に、シャッタカーテン１２を閉じた状態とした際の巾木１６の位置において、手掛けレバー３１が一方の回転方向に回転した際に係止され、他方の回転方向に回転した際に係止が解除される被係止部が設けられている。また、手掛けレバー３１を被係止部２８に係止される一方の回転方向に付勢する付勢手段としての板ばね７１を有する。【選択図】図５
2007297798.tif 000002
【特許請求の範囲】
【請求項１】
建築物の開口部の左右に立設された一対のガイドレールを有する枠部材と、
前記ガイドレールに沿って昇降移動可能なシャッタカーテンと、
前記シャッタカーテンの先端部に左右に延在して設けられる巾木と、
前記シャッタカーテンを閉じた状態で、前記枠部材の下端部に前記巾木を係止した状態に保持する施錠装置とを備え、
前記施錠装置は、
前記巾木に沿って中央から左右に延在し、かつ、前記巾木に沿った水平な軸回りに回転自在となるように、前記巾木に取り付けられた手掛けレバーと、
前記枠部材の下枠に設けられ、かつ、シャッタカーテンを閉じた状態とした際の前記巾木の位置において、前記手掛けレバーが一方の回転方向に回転した際に係止され、他方の回転方向に回転した際に係止が解除される被係止部と、
前記手掛けレバーを前記被係止部に係止される一方の回転方向に付勢する付勢手段と、
を備えたことを特徴とするシャッタ装置。
【請求項２】
前記手掛けレバーには、前記シャッタカーテンを閉じる場合の前記巾木の移動中に前記被係止部に接触することで、前記手掛けレバーを前記付勢手段の付勢力に抗して他方の回転方向に回転させた後に、前記付勢手段の付勢力により一方の回転方向に回転させる回転誘導部を有し、かつ、前記手掛けレバーが他方の回転方向に回転した後に一方の回転方向に回転した際に、前記被係止部に係止する係止部が設けられていることを特徴とする請求項１記載のシャッタ装置。
【発明の詳細な説明】
【技術分野】
【０００１】
本発明は、開閉自在なシャッタカーテンを備えるとともに、シャッタカーテンの先端部材となる巾木にシャッタカーテンを閉じた状態に保持する施錠装置を備えたシャッタ装置に関する。
【背景技術】
【０００２】
住宅等の建築物の窓等の開口部に設けられるシャッタ装置は、開口部の左右に立設された一対のガイドレールに沿ってシャッタカーテンが昇降可能に設けられ、このシャッタカーテンを巻取ドラムに巻き取ることでシャッタカーテンを引き上げて開口部を開放し、シャッタカーテンを巻取ドラムから引き出して開口部を閉塞するようになっている。
前記ガイドレールや巻取ドラムは、建築物の開口部に取り付けられる枠部材に取り付けられている。
また、シャッタカーテンは、左右に細長いスラットを上下方向に多数連結することにより、巻取ドラムに巻き取ることが可能な構成とされるとともに、上端部が巻取ドラムに接続され、下端部には、シャッタカーテンの先端部材となる巾木が設けられている。
この巾木は、最下端となるスラットに連結されるとともに、スラットと略同様に前記ガイドレールにガイドされるように左右のガイドレールに渡る長さを有する。
【０００３】
そして、巾木には、開口部側に固定された前記ガイドレール等を有する枠側と係合してシャッタカーテンを閉じた状態に保持する施錠装置が設けられている。
この施錠装置には、様々なものが知られているが、構造が簡単でかつ低コストに製造可能な施錠装置として、巾木の両端部から先端部がそれぞれ出没自在な二つのスライドバー（係止部材）を設け、前記枠部材の左右の下端部に前記スライドバーの先端部と係合する係合部を設けたものが知られている（例えば、特許文献１参照）。また、以下のような施錠装置は、枠部材の下辺側（ガイドレール同士の間の下側）に、施錠装置用の部材が配置されることがなく、例えば、入出口としても使用可能な掃き出し窓などで好適に用いられる。
【０００４】
具体的には、例えば、図１１に示すような施錠装置がある。図１１は、シャッタ装置の前記巾木１と枠部材の左右の下端部だけを図示したものであるが、巾木１は、例えば、アルミ製で、主要部が左右に長尺な細板状となっているとともに、内部が中空となっており、断面が上下に長い矩形枠状となっている。
そして、巾木１の内部には、左右にスライドバー２，３が巾木１に対して左右に移動自在に配置されている。また、左右のスライドバー２，３の先端部２ａ、３ａは、それぞれ、巾木１の主要部の左右端部から外側に出没可能となっている。
【０００５】
シャッタカーテンを閉じた状態で、左右のスライドバー２，３の先端部２ａ、３ａを巾木１の左右端部から外側に突出させ、シャッタ装置の枠部材に設けられた係合部４，４に係合させることにより、シャッタカーテンを閉じた状態に保持できるようになっている。
また、巾木１に設けられた施錠装置には、操作部が備えられ、前記左右のスライドバー２，３を片手で同時に左右に移動させることが可能となっている。
【０００６】
前記左右のスライドバー２，３は、その後端部が互いに近接した位置に配置されるとともに、後端部が室内側に向かって直角に屈曲した状態となって、取付部を形成している。
また、巾木１の室内側の側面には、上述の取付部を露出するように左右に長い矩形状の開口が形成され、該開口には、スライド枠５が取り付けられている。
そして、これら取付部にツマミ部材６，６が取り付けられている。
【０００７】
そして、スライド枠５に、前記ツマミ部材６，６が左右に移動自在にはめ込まれている。また、左右のツマミ部材６，６が取り付けられた左右のスライドバー２，３は、それぞれスライド枠５にコイルスプリングを介して連結されており、左右のスライドバー２，３（左右のツマミ部材６，６）をそれぞれ左右に付勢している。これにより、左右のスライドバー２，３は、それぞれ左右に付勢され、先端部２ａ、２ｂを巾木１の主要部の左右端部から突出した状態とされる。
【０００８】
これら、スライド枠５、ツマミ部材６，６から施錠装置の操作部が形成されている。
シャッタカーテンを開ける場合には、片手で前記二つのツマミ部材６，６を互いに近づけるように操作することで、左右のスライドバー２，３の先端部が巾木１の主要部内に引き込まれた状態となり、枠部材の係合部４，４との係合が解除される。この際に例えば上述の巻取ドラムがシャッタカーテンを巻き取る側に付勢されていると、係合を解除するだけでシャッタカーテンが巻き取られて上方に移動し、シャッタが開放した状態となる。
なお、前記係合部４，４の上面が内側に向かうにつれて下り傾斜するテーパー面とされ、前記スライドバー２，３の先端部の下面が外側に向かうにつれて上り傾斜する湾曲したテーバー面とされていることから、巾木１を下げた際に、係合部４，４の上面にスライドバー２，３の先端部下面が接触すると、上述のテーパー面に案内されてスライドバー２，３が前記付勢力に抗して内側に押し込まれ、スライドバー２，３が係合部４，４の下側に至ると前記付勢力により、スライドバー２，３が外側に突出しスライドバー２，３の先端部と係合部４，４とが係合することになる。
【０００９】
【特許文献１】特開２００４−３３２４３７号公報
【発明の開示】
【発明が解決しようとする課題】
【００１０】
ところで、上述の施錠装置は、シャッタ装置の室内側の開口部に左右引き違いに二枚の障子が配置された窓サッシ用に設けられたものである。
そのために、左右のスライドバー２，３の長さを異なるものとし、上述のスライド枠５、ツマミ部材６，６等からなる操作部の位置が左右の中央から左右のうちの一方側にずれた位置に配置されている。
すなわち、左右引き違いの２枚の障子を有する窓サッシにおいては、窓を開放した場合に、開口部の中央に必ず２枚の障子の左右いずれかの端部が存在することになり、操作部が中央にあると障子とサッシとの間に手を入れないと操作部のツマミ部材を操作できず、操作性が極めて悪くなってしまう。
【００１１】
そこで、操作部の位置を巾木１の左右の中央より左右どちらかにずらすことで、障子が邪魔になることなく、施錠装置の操作が可能となる。なお、図において、巾木１の中央よりハッチングされた側に障子開放時に障子が存在することになる。
なお、上述の２枚の障子が引き違いに配置された窓サッシは、基本的に窓の左右の半分しか開放できないことから、普段使用する際には、窓の左側もしくは右側だけを開放するようにし、反対側には、採光を完全に遮らない程度の背の低い家具を置いたり、観葉植物を置いたりする場合がある。
【００１２】
この場合に、上述のようにシャッタ装置の施錠装置の操作部が左右いずれかに偏った位置にあると、操作部が無い方に家具や観葉植物を置くことになり、これらのレイアウトが制約されてしまうといった問題があった。
また、レイアウトを優先して、操作部がある側と同じ側に家具や観葉植物等をおいてしまうと、家具や観葉植物とシャッタカーテンとの間に手を入れて操作部のツマミ部材６，６を操作しなければならず、極めて操作性が悪くなってしまう。
【００１３】
このような問題のある上述の施錠装置に対して、前記巾木に当該巾木の略全幅に渡って左右に延在する長い手掛けレバーを設け、この手掛けレバーを所定範囲内で上下に回転移動可能とし、かつ、手掛けレバーの回転移動に連動して作動する施錠装置を設けたものが知られている。基本的には、シャッタカーテンを閉めることにより、手掛けレバーが巾木と一体に下方に移動した場合には、施錠装置が施錠される。この状態で手掛けレバーを上に回転移動させることで施錠装置が解除される。このような施錠装置によれば、左右に延在する手掛けレバーのどこを持って手掛けレバーを回転移動させても施錠装置を解除できるので、上述のような施錠装置の解除操作の位置による問題が生じることがない。
【００１４】
しかし、このような手掛けレバーを有する施錠装置は、例えば、巾木の左右の中央もしくは左右端部に、手掛けレバーの上下動にリンクして回転するロックレバーと、このロックレバーにリンクして回転するロック鎌とを備えるものが知られている。
また、シャッタ装置の前記枠部材側には、ロック鎌と係合するロック受け軸が設けらており、巾木と一体に前記手掛けレバー、ロックレバー、ロック鎌が下降した場合には、ロック鎌がロック受け軸に接触する際に回転してロック受け軸に係合する。
この状態で手掛けレバーを上方に移動すると、手掛けレバーにリンクしたロックレバーが回転するとともにロックレバーにリンクしたロック鎌がロック受け軸との係合を解除する側に回転する。これにより施錠を解除することができる。
【００１５】
以上のように左右に長い手掛けレバーを有する施錠装置は、複数の部材がリンクして連動することにより施錠を解除する方式であり、その機構が煩雑となり、施錠装置のコストが高くなると言った問題があった。
【００１６】
本発明はこのような事情に鑑みてなされたもので、左右に延在する手掛けレバーを有することで、操作部の操作性を犠牲にすることなく、窓の前に家具や観葉植物等を自由にレイアウト可能とするとともに、より簡単な構造とすることにより施錠装置のコストを低減することを目的とする。
【課題を解決するための手段】
【００１７】
前記目的を達成するために、請求項１に記載のシャッタ装置は、
建築物の開口部の左右に立設された一対のガイドレールを有する枠部材と、
前記ガイドレールに沿って昇降移動可能なシャッタカーテンと、
前記シャッタカーテンの先端部に左右に延在して設けられる巾木と、
前記シャッタカーテンを閉じた状態で、前記枠部材の下端部に前記巾木を係止した状態に保持する施錠装置とを備え、
前記施錠装置は、
前記巾木に沿って中央から左右に延在し、かつ、前記巾木に設けられた水平な軸に、当該軸回りに回転自在に取り付けられた手掛けレバーと、
前記枠部材の下枠に設けられ、かつ、シャッタカーテンを閉じた状態とした際の前記巾木の位置において、前記手掛けレバーが一方の回転方向に回転した際に係止され、他方の回転方向に回転した際に係止が解除される被係止部と、
前記手掛けレバーを前記被係止部に係止される一方の回転方向に付勢する付勢手段と、
を備えたことを特徴とする。
【００１８】
請求項２記載の発明は、請求項１記載のシャッタ装置において、
前記手掛けレバーには、前記シャッタカーテンを閉じる場合の前記巾木の移動中に前記被係止部に接触することで、前記手掛けレバーを前記付勢手段の付勢力に抗して他方の回転方向に回転させた後に、前記付勢手段の付勢力により一方の回転方向に回転させる回転誘導部を有し、かつ、前記手掛けレバーが他方の回転方向に回転した後に一方の回転方向に回転した際に、前記被係止部に係止する係止部が設けられていることを特徴とする。
【００１９】
なお、回転誘導部は、手掛けレバーの係止部に設けられるもので、シャッタカーテンを閉めるために巾木を下方に移動する途中で係止部の回転誘導部と被係止部とが接触した場合に互いの接触面の形状に対応して、巾木の下方への移動を手掛けレバーの回転移動に変換して、手掛けレバーを他方の回転方向に回転させた後（巾木が最も下降した位置となる間際）に手掛けレバーの回転をフリーな状態とし、この際に付勢手段の付勢力により被係止部に係止部を係止させるものである。なお、巾木が下降中（最も下降した位置となる僅かに前の段階）に互いに接触する回転誘導部と被係止部との少なくとも一方の接触面は、手掛けレバーを付勢手段の付勢力に抗して回転させるテーパー面となっている。
【発明の効果】
【００２０】
請求項１記載のシャッタ装置によれば、シャッタを閉じた際に、水平な軸回りに回転可能に、巾木に設けられた手掛けレバーを被係止部に係止することで、巾木がシャッタ装置の枠部材の下端部に保持されて施錠された状態となる。また、手掛けレバーを被係止部に係止される回転方向と逆方向に回転することで施錠が解除される。この際に、手掛けレバーが巾木の中央から左右に延在しているので、巾木の中央の右側でも左側でも施錠装置の解除操作が可能となる。したがって、二枚の障子が引き違いに配置された窓等において、左右の一方に家具等をおいても施錠装置の解除操作に支障をきたすことがなく、家具等のレイアウトが施錠装置により制約されることがない。
さらに、巾木に回転可能に取り付けられた手掛けレバーが直接被係止部に係止されることで施錠が可能なことから、施錠装置の部品点数が極めて少なく、かつ、その動作機構が極めて単純なため、極めて低コストに製造することが可能となる。
【００２１】
請求項２記載のシャッタ装置によれば、シャッタカーテンを下降させることにより自動的に施錠されることになり、施錠装置の施錠操作を容易にすることができる。
【発明を実施するための最良の形態】
【００２２】
以下、添付した図面を参照しながら、本発明の第１の実施の形態を説明する。
図１〜図２は本発明の実施の形態に係るシャッタ装置１０を備えた開口部装置としての窓サッシ２０を示し、図３は前記シャッタ装置１０の施錠装置３０を示し、図４および図５は施錠装置３０の施錠および解錠の動作を示すものである。
図１，２に示すように窓サッシ２０は、建築物の開口部にはめ込まれる矩形枠状の枠部材２１を備え、該枠部材２１の室外側にシャッタ装置１０が設けられ、シャッタ装置１０の室内側に左右に移動自在な一枚の網戸２２と、ガラス板２３がはめ込まれた外障子２４と内障子２５とを備えている。外障子２４及び内障子２５は左右引き違いに配置されたもので、開放状態とした場合に枠部材２１の内周側となる開口部分の左右半分のいずれかを開放可能となっている。
【００２３】
そして、この窓サッシ２０に一体に備えられたシャッタ装置１０は、前記枠部材２１の左右側部の前部にそれぞれ上下に延在する一対のガイドレール１１が備えられている。
そして、このガイドレール１１に左右側部を案内されるように、シャッタカーテン１２が設けられている。シャッタカーテン１２は、左右に細長いスラット１３，…を上下方向に多数連結したものであり、巻き取ることが可能となっている。
【００２４】
そして、前記枠部材２１の上には、シャッタカーテン１２を巻き取る巻取ドラム１４が回転可能に取り付けられるとともに、巻取ドラム１４はカバー部材１５に覆われた状態となっている。
そして、巻取ドラム１４の外周面には、シャッタカーテン１２の上端部が固定され、巻取ドラム１４が正転することによりシャッタカーテン１２を巻き取って、シャッタカーテン１２を上昇させてシャッタカーテン１２を開放状態とするとともに、巻取ドラム１４を逆転することによりシャッタカーテン１２を下降させてシャッタカーテン１２を閉塞状態とするようになっている。
【００２５】
この例では、シャッタ装置１０は、手動式のものとされ、巻取ドラム１４は、正転方向に付勢されており、シャッタを閉塞状態とする場合には、巻取ドラム１４に巻き取られたシャッタカーテン１２の巾木１６（手掛けレバー３１）に手を掛けて付勢力に抗してシャッタカーテン１２を巻取ドラム１４から引き出すことにより、シャッタカーテン１２を閉塞状態とし、後述の施錠装置３０により施錠することで、シャッタカーテン１２を閉塞状態に保持するようになっている。また、閉塞状態のシャッタカーテン１２において施錠装置３０の施錠を解除すると、付勢された巻取ドラム１４によってシャッタカーテン１２が巻き取られることで、自動的にシャッタカーテン１２が開放状態となるとともに、開放状態に保持されるようになっている。なお、本発明のシャッタ装置は、手動式に限られるものではなく、巻取ドラム１４をモータ等で駆動する電動式にも適用可能である。
【００２６】
シャッタカーテン１２の下端部には、シャッタカーテン１２の先端部（下端部）を構成する巾木１６が設けられている。
そして、この巾木１６に施錠装置３０が配置される。
以上のようにシャッタ装置１０は、建築物の開口部の左右に立設された一対のガイドレール１１，１１を有する枠部材２１と、前記ガイドレール１１，１１に沿って昇降移動可能なシャッタカーテン１２と、前記シャッタカーテン１２の先端部に左右に延在して設けられる巾木１６と、前記シャッタカーテン１２を閉じた状態で、前記枠部材２１の下端部に前記巾木１６を係止した状態に保持する施錠装置３０とを備えている。
【００２７】
施錠装置３０を有する巾木１６は、上述の左右一対のガイドレール１１，１１間に渡る長さを有するものとなっている。なお、図１に図示される巾木１６の断面は、手掛けレバー３１の無い端部の断面であり、手掛けレバー３１は、図３等に示される。
そして、図３に示すように、巾木１６は、巾木本体１７と、手掛けレバー３１とからなる。
【００２８】
巾木本体１７は、その断面が水平な上辺部４１とこの上辺部の室外側端部から下方に垂設される室外側壁部４２と、室外側壁部４２の下端から室内側に水平に延出する下辺部４３とから概略コ字状（チャネル状）に形成されている。
そして、上辺部４１には、左右に延在してシャッタカーテン１２を構成する最下端のスラット１３の下端部を回転可能に接続する回転接続部４４が形成されている。
また、室外側壁部４２の室内側を向く面には、室内側に向かって突出する軸支持部４５が形成されている。軸支持部４５は、巾木１６の左右の長さ方向に沿って当該巾木１６の略全幅（左右端部を除く全幅より僅かに短い長さ）に渡って延在する水平な部材であり、その先端部が巾木１６の長さ方向に沿って水平に配置される軸４６とされている。
【００２９】
軸４６は、手掛けレバー３１の後述の内周面が円弧状とされた軸受け部３２が回動自在に外側に嵌合する構造となっており、外周面が円弧状のＣ字状に形成されている。
なお、Ｃ字状の軸４６は、室内側でかつ斜め下側が開放した状態となっており、室外側が軸支持部４５に一体に接続された状態となっている。また、軸４６が円柱状でも円筒状でもなくＣ字状なので、弾性変形による縮径が可能であり、前記手掛けレバー３１の後述ようにＣ字状の軸受け部３２の開放部分から軸４６を押し込むことにより、軸４６を弾性変形により縮径して軸受け部３２内に挿入することが可能であり、軸４６が弾性復帰した際に軸受け部３２に軸４６が抜けづらい状態で嵌合した状態とすることができる。
なお、軸４６に軸受け部３２を嵌合させる際に、上述のように軸４６を縮径させるように弾性変形させるのではなく、軸４６の左右端部の一方に、軸受け部３２の左右端部の他方を突き当てた状態にした後に軸受け部３２内に軸４６を挿入するように左右に移動して軸受け部３２内に軸４６を嵌合させてもよい。
【００３０】
前記下辺部４３には、その室外側端部と、室外−室内方向の中央部より僅かに室内側となる部分とから下方に二つの封止片４７，４８が垂設されている。
これら室外側および室内側の封止片４７，４８の間には、シャッタカーテン１２を閉じた状態で、前記シャッタ装置１０を備える窓サッシ２０の枠部材２１の下辺を構成する下枠２６の上面から上方に延出するとともに下枠の全幅に渡って左右に延在する壁部２７が配置される。
以上のような巾木本体１７は、アルミの押し出し材として成型されており、上述の各部分が左右に延在した状態となっている。
【００３１】
また、枠部材２１の下枠２６上面の前記壁部２７より後方で、シャッタカーテン１２を閉じた状態の巾木本体１７の下辺部４３の後端部の真下となる位置に被係止部２８が、下枠２６の上面から上方に延出するとともに左右に延在して配置されている。
そして、被係止部２８は、その先端部が室内側に向かって屈曲することにより逆Ｌ字状とされ、この屈曲した先端部が手掛けレバー３１が係止される被係止片２９とされている。
【００３２】
手掛けレバー３１は、前記軸受け部３２が水平な軸４６回りに回転自在に嵌合されることにより、水平な軸４６回りに前後に所定範囲内で回転自在となっている。また、上述のように巾木本体１７は、室内側が開放された状態のコ字状となっているので、手掛けレバー３１の後部を除く部分が全て巾木本体１７内に収納された状態となっている。また、手掛けレバー３１の後部を構成する背面が巾木１６の室内側の側面を構成するようになっている。
そして、手掛けレバー３１は、前記軸受け部３２と、当該軸受け部３２と一体に形成された筒状の手掛け部３３と、手掛け部３３の下部の室外側角部から下方に延出する延出片３４と、延出片３４の下端部に設けられた鉤状の係止部３５とを有するものである。
【００３３】
前記軸受け部３２は、断面Ｃ字状に形成され、軸４６に取り付けられる状態で、室外側でかつ斜め上を向いた部分が開放された状態となっている。そして、手掛けレバー３１が後述のように係止部３５が被係止部２８の被係止片２９に係止された状態で、断面Ｃ状の軸受け部３２の下側の先端部が軸支持部４５に当接し、手掛けレバー３１の係止側（施錠側）となる回転方向（図中右回転）への回転が規制される。
【００３４】
この状態から手掛けレバー３１を係止が解除される回転方向（図中左回転）へ回転させると、係止部３５の被係止部２８の被係止片２９への係止が解除された状態となり、そのまま回転させようとすると、軸受け部３２の上側の先端部が軸支持部４５に当接し、手掛けレバー３１の係止解除側（解錠側）となる回転方向への回転が規制される。
以上のように手掛けレバー３１は、施錠状態から解錠状態までの間で前後に回転移動可能となっている。
なお、手掛けレバー３１側に軸４６を設け、巾木１６側に軸受け部３２を設けてもよい。すなわち、図３において、軸４６が内側で軸受け部３２が外側となっているのを逆に軸４６を外側とし、軸受け部３２を内側としてもよい。
【００３５】
手掛け部３３は、その断面が概略台形筒状で、施錠状態で、上側の片がほぼ水平とされ、台形の底辺となる室外側の片と、台形の上辺となる室内側の片がほぼ垂直とされ、下側の片が室内側から室外側に向かうにつれて下り傾斜する斜めの状態とされている。
そして、手掛け部３３において、上側の辺と室外側の片との角部に前記軸受け部３２が設けられている。また、手掛け部３３において、室外側の片と下側の片との角部から前記延出片３４が延出した状態となっている。
【００３６】
そして、施錠状態において、手掛け部３３の上側の片と、巾木本体１７の上辺部４１とが平行となるとともに、手掛けレバー３１を解錠状態とする場合に、解錠状態となる前に手掛け部３３の上側の片が巾木本体１７の上辺部４１に接触しないように、施錠状態において、手掛け部３３の上側の片と、巾木本体１７の上辺部４１との間に間隔があけられている。
また、手掛け部３３の下側の斜めの片が、シャッタを開放する際に施錠装置３０を解錠操作する際に手を掛ける部分となっている。
【００３７】
前記延出片３４は、上述のように手掛け部３３の下側で前側となる角部から下方にほぼ垂直に延出して形成された垂直部５１と、その下端から下側に向かうにつれて室内側に向かうように斜めに屈曲された屈曲部５２と、屈曲部５２の下端部から巾木本体１７の下辺部４３の室内側端部よりも僅かに室内側を通って下辺部４３より下側に延出する末端部５３とから構成されている。
【００３８】
手掛けレバー３１においては、手掛け部３３の下側の片と、前記垂直部５１と屈曲部５２とから室内側を向く面に手を挿入可能な凹部が形成された状態となっており、手掛け部３３の下側の片に手を掛けて解錠操作を行うことが可能となっている。
【００３９】
そして、末端部５３の下端部、すなわち、延出片３４の先端部に係止部３５が形成されている。係止部３５は、概略逆直角三角形状に形成され、室外側に突出するように形成され、延出片３４の先端部から室外側に突出する係止部３５が、枠部材２１の下枠２６に形成された被係止部２８の室内側に向かって突出するように屈曲された被係止片２９に係合するようになっている。ここで、係止部３５の位置は、後述の付勢手段の付勢力により最も施錠側に向かって回転した状態で、被係止部２８の被係止片２９と重なる位置となっており、上述のように係止部３５が被係止片２９に係止可能となっている。
【００４０】
また、係止部３５の下面は、室外側から室内側に向かうにつれて下方に向かうテーパー面とされており、後述のようにシャッタを閉める際に巾木１６を下降させることにより、この係止部３５のテーパー面３６が枠部材２１の被係止部２８の上端部となる被係止片２９の先端に接触すると、巾木１６が下方に向かう力によって、テーパー面３６を介して手掛けレバー３１が室内側に回転移動するように押圧され、後述の付勢手段の付勢力に抗して手掛けレバー３１を施錠解除側に向かって回転させられる。
【００４１】
そして、係止部３５のテーパー面３６の部分が被係止部２８の被係止片２９より下側に抜けると、手掛けレバー３１が付勢手段の付勢力により施錠方向に付勢されて手掛けレバー３１が回転することにより、手掛けレバー３１の係止部３５が枠部材２１の被係止部２８の被係止片２９に係止されることになる。
以上のことから概略逆三角形状の係止部３５の下面となるテーパー面３６と、水平な上面と、これら二つの面の間を構成する湾曲した角部とから、シャッタカーテンを閉じる場合の前記巾木の移動中に前記被係止部に接触することで、前記手掛けレバー３１を前記付勢手段の付勢力に抗して他方の回転方向に回転させた後に、前記付勢手段の付勢力により一方の回転方向に回転させる回転誘導部が構成されている。
【００４２】
なお、テーパー面を係止部３５の回転誘導部ではなく、被係止部２８の被係止片２９の上面に形成してもよい。すなわち、被係止部２８の被係止片２９の形状と、手掛けレバー３１の係止部３５の形状とをそれぞれ上下逆にして互いに代えてもよい。すなわち、手掛けレバー３１の回転誘導部を有する係止部３５部分の形状をＬ字状とし、被係止部２８の被係止片２９の形状を直角三角形状としてもよい。また、係止部３５と被係止部２８の形状は、これらに限られるものではなく、シャッタカーテン１２を閉める際に、係止部３５と被係止部３８とが接触した後に、係止部３５の下降運動を手掛けレバー３１を解錠方向に回転させる回転運動に変換し、次いで施錠方向に回転可能とすることにより、シャッタカーテン１２の閉塞時に係止部３５を被係止部２８に自動的に係止させる構造となっていればよい。
以上のような手掛けレバー３１は、アルミの押し出し材として成型されており、上述の各部分が左右に延在した状態となっている。
【００４３】
手掛けレバー３１には、図３に図示されていない付勢手段が備えられている。例えば、図４及び図５に示すように、巾木本体１７の上辺部４１の下面と手掛けレバー３１の手掛け部３３の上面との間に板ばね７１が付勢手段として配置される。板ばね７１は、その上端部が巾木本体の上辺部４１と室外側壁部４２との角部の内隅に固定され、室外側から室内側に向かうにつれて下がるように斜めに配置されている。そして、巾木本体１７に対して手掛けレバー３１を図中右回転側に付勢している。
【００４４】
この回転方向は、手掛けレバー３１の係止部３５を枠部材２１の被係止部２８の被係止片２９に係止させる方向（施錠させる方向）である。
これにより、施錠した状態では、手掛けレバー３１を付勢することで、係止部３５が被係止片２９から外れるのを防止して施錠した状態を維持するようになっている。また、この板ばね７１からなる付勢手段により、上述のように施錠時に係止部３５のテーパー面３６により解錠側に手掛けレバー３１が回転した後に手掛けレバー３１を施錠側に回転させることが可能となり、シャッタを閉めるだけで自動的に施錠させる構造とすることができる。なお、付勢手段は、巾木本体１７と手掛けレバー３１との間の少なくとも１箇所もしくは複数箇所に配置される。１箇所に配置する場合は、巾木１６の左右の略中央部に配置することが好ましい。複数箇所配置する場合には、例えば、巾木１６の左右端部や、巾木１６の左右長さの範囲内で例えば互いに左右に略等間隔ごとに配置される。
【００４５】
付勢手段は、上述の板ばね７１に限定されるものではなく、上述のように手掛けレバー３１を付勢するものならばよい。例えば、図６に示すように、巾木本体１７の上辺部４１の下面と手掛けレバー３１の手掛け部３３の上面との間にコイルスプリング７２を配置してもよい。この場合にコイルスプリング７２は、圧縮ばねであり、上端部が上辺部４１に固定され、下端部が手掛け部３３に固定される。なお、コイルスプリング７２は、巾木本体１７の上辺部４１の下面と手掛けレバー３１の手掛け部３３の上面との間に保持されればよく、その上端部もしくは下端部だけが固定されている構成でもよい。
【００４６】
また、付勢手段としては、図７に示すように、巾木本体１７の室外側壁部４２と、手掛けレバー３１の延出片３４との間に配置される引っ張りばねとしてのコイルスプリング７５であってもよい。なお、手掛けレバー３１の延出片３４には、コイルスプリング７５の一端を固定するばね固定部７３が形成され、巾木本体１７の室外側壁部４２および下辺部４３にコイルスプリング７５の他端部を固定するばね固定部７４が取り付けられている。
【００４７】
また、付勢手段としては、図８に示すように、Ｕ字状に曲げられた板ばね７６を用いてもよく、板ばね７６は、巾木本体１７の上辺部４１の下面と手掛けレバー３１の手掛け部３３の上面との間に配置され、上端部が上辺部４１に固定され、下端部が手掛け部３３に固定される。板ばね７６は、巾木本体１７の上辺部４１の下面と手掛けレバー３１の手掛け部３３の上面との間に保持されればよく、その上端部もしくは下端部だけが固定されている構成でもよい。
【００４８】
また、付勢手段としては、ばね等の弾性部材だけではなく、磁石を用いるものとしてもよく、例えば、図９に示すように、巾木本体１７の室外側壁部４２の室内側の面と、手掛けレバー３１の延出片３４の垂直部５１の室外側の面とに、それぞれ磁石７７，７７を固定するととともに、これら磁石７７，７７が互いに異なる極を対向して配置されている。これらの磁石７７，７７の吸着力により、引っ張りばねと略同様の効果を得られる。
【００４９】
また、図１０に示すように、巾木本体１７の上辺部４１の下面と手掛けレバー３１の手掛け部３３の上面とにそれぞれ磁石７８，７８を固定し、互いに同じ極同士が対向するように配置する。これらの磁石７８，７８の反発力により圧縮ばねとほぼ同様の効果を得られる。
以上のように、この例のシャッタ装置１０の施錠装置３０は、前記巾木１６に沿って中央から左右に延在し、かつ、前記巾木１６に設けられた水平な軸４６に、当該軸回りに回転自在に取り付けられた手掛けレバー３１と、枠部材２１の下枠２６に設けられ、かつ、シャッタカーテン１２を閉じた状態とした際の巾木１６の位置において、手掛けレバー３１が一方の回転方向に回転した際に係止され、他方の回転方向に回転した際に係止が解除される被係止部２８と、手掛けレバー３１を被係止部２８に係止される一方の回転方向に付勢する付勢手段（板ばね７１等）とを備えたものである。
【００５０】
また、手掛けレバー３１には、シャッタカーテン１２を閉じる場合の巾木１６の移動中に被係止部２８に接触することで、手掛けレバー３１を付勢手段（板ばね７１等）の付勢力に抗して他方の回転方向に回転させた後に、付勢手段の付勢力により一方の回転方向に回転させる回転誘導部（テーパー面３６を有する）を有し、かつ、手掛けレバー３１が他方の回転方向に回転した後に一方の回転方向に回転した際に、被係止部に係止する係止部３５が設けられている。
【００５１】
以上のような、施錠装置３０によるシャッタ装置１０の施錠および解錠を図４および図５を参照して説明する。図４の丸１の施錠前に示すように、下端に巾木１６を有するシャッタカーテン１２を下降させると、図４の丸２の施錠中に示すように、巾木１６に回転自在に備えられた手掛けレバー３１の下端の係止部３５のテーパー面３６が枠部材２１の被係止部２８の上端の被係止片２９の先端に接触し、手掛けレバー３１が、板ばね７１の付勢力に抗して解除側に僅かに回転する。
【００５２】
さらに、巾木１６を下降させると、図５の丸３の施錠時に示されるように、テーパー面３６が被係止片２９からはずれることにより、手掛けレバー３１が板ばね７１の付勢力により、施錠側に回転し、手掛けレバー３１の係止部３５が枠部材２１の下枠２６の被係止部２８の被係止片２９に係止され施錠された状態となる。また、この際には板ばね７１の付勢力により係止部３５が被係止片２９に係止された状態が保持される。したがって、シャッタカーテン１２を下降せて閉じることにより自動的にシャッタ装置１０を施錠することができる。
【００５３】
また、図５の丸４の解錠時に示されるように、手掛けレバー３１の手掛け部３３に指を掛けて手掛けレバー３１を解錠側に回転することで、施錠を解除することができる。この際に、巻取ドラムがシャッタカーテン１２の巻取り方向に付勢されていれば、施錠が解除された段階で自動的にシャッタカーテン１２が巻き取られシャッタ装置１０が開放状態となる。
【００５４】
以上のようなシャッタ装置１０によれば、手掛けレバー３１が左右に延在する範囲ならばどの位置でもシャッタ装置１０の施錠を解除することができるので、窓の前に家具や観葉植物が置いてあってもなんら問題なくシャッタ装置１０の施錠を解除できる。また、シャッタ装置１０の施錠装置によって、家具や観葉植物の置き場所が制約されることがなくなり、家具や観葉植物を自由なレイアウトで窓のそばに配置することができる。
【００５５】
また、手掛けレバー３１が施錠装置の解錠の操作装置として機能するとともに施錠装置本体としても機能することになり、基本的に動作する部材は手掛けレバー３１と付勢手段だけとなり、極めて簡単な構成で、かつ、極めて簡単な動作で施錠および解錠を可能とすることができ、シャッタ装置１０の施錠装置３０を極めて安価なものとすることができる。すなわち、安価な施錠装置でも上述の家具や観葉植物のレイアウトの問題を解決することができる。
【００５６】
なお、手掛けレバー３１は、操作性を考慮した場合に、巾木の略全幅に渡って配置されることが好ましい。
また、手掛けレバー３１に一体の係止部３５を設け、枠部材２１の下枠２６に一体に被係止部２８を設ける構成としたが、手掛けレバー３１と係止部３５を別体とするとともに別の材質とし、下枠２６と被係止部２８とを別体とするとともに別の材質とし、手掛けレバー３１に係止部３５を取り付け、下枠２６に被係止部２８を取り付けるものとしてもよい。この場合に、手掛けレバー３１や下枠２６は、所謂窓サッシの一部としてアルミ材で構成し、係止部３５や被係止部２８は防火性能を向上させるためにステンレスで構成するものとしてもよい。また、上記例では、シャッタ装置１０が取り付けられる窓が内障子２５と外障子２４を有する左右引き違いの窓とされたが、窓の形態は、これに限定されるものではなく、どのような窓を配置するものとしてもよく、例えば、上げ下げ窓のように左右方向以外に障子が移動するものであってもよい。
【図面の簡単な説明】
【００５７】
【図１】本発明の第１の実施の形態に係るシャッタ装置の縦断面図である。
【図２】前記シャッタ装置の横断面図である。
【図３】前記シャッタ装置の施錠装置を説明するための巾木及び下枠を示す断面図である。
【図４】前記施錠装置の動作を説明するための巾木及び下枠を示す断面図である。
【図５】前記施錠装置の動作を説明するための巾木及び下枠を示す断面図である。
【図６】前記施錠装置の付勢手段の他の例を説明するための巾木及び下枠を示す断面図である。
【図７】前記付勢手段の他の例を説明するための巾木及び下枠を示す断面図である。
【図８】前記付勢手段の他の例を説明するための巾木及び下枠を示す断面図である。
【図９】前記付勢手段の他の例を説明するための巾木及び下枠を示す断面図である。
【図１０】前記付勢手段の他の例を説明するための巾木及び下枠を示す断面図である。
【図１１】従来のシャッタ装置の施錠装置の一例を示す概略図である。
【符号の説明】
【００５８】
１１      ガイドレール
１２      シャッタカーテン
１６      巾木
１７      巾木本体
２１      枠部材
２８      被係止部
３０      施錠装置
３１      手掛けレバー
４６      軸
７１      板ばね（付勢手段）
７２      コイルスプリング
７５      コイルスプリング
７６      板ばね
７７      磁石
７８      磁石
【図１】
2007297798.tif 000003
【図２】
2007297798.tif 000004
【図３】
2007297798.tif 000005
【図４】
2007297798.tif 000006
【図５】
2007297798.tif 000007
【図６】
2007297798.tif 000008
【図７】
2007297798.tif 000009
【図８】
2007297798.tif 000010
【図９】
2007297798.tif 000011
【図１０】
2007297798.tif 000012
【図１１】
2007297798.tif 000013